(57)【要約】【課題】  撮像面位相差ＡＦ方式を用いた動画撮影において、フォーカスシングの品位を向上させ、安定したピント合わせを実現する。【解決手段】  撮像面位相差ＡＦ方式をもちいて、複数の測距エリアを配置し、各測距エリアから得られた測距結果から１つのデフォーカス量を算出し、レンズを駆動させピント合わせを行う撮像装置において、少なくとも２つの撮像画面に対する比率が異なる大きさの測距エリアを第１の測距エリア配置として配置する。そして、撮像画面に対する比率が小となる測距エリアの方が、大きい割合となるように配置する。さらに、前記第１の測距エリア配置で、測距結果が得られなかった場合には、前記第１の測距エリアの大きさよりも撮像画面に対する比率が大きい測距エリアを配置した第２の測距エリア配置で測距結果を取得する。【選択図】  図６
2015087705.tif 000002
【特許請求の範囲】
【請求項１】
第１の領域に対応するフォーカス情報を出力する第１のフォーカス情報の出力手段と、
第２の領域に対応するフォーカス情報を出力する第２のフォーカス情報の出力手段と、
前記第１の領域と前記第２の領域はいずれも撮像画像内の一つのエリア内にあって、前記出力された複数のフォーカス情報のそれぞれを用いて、当該エリアに対応する一つのデフォーカス情報を取得するとともに、当該取得したデフォーカス情報に基づいてフォーカス制御する制御手段とを有し、
前記エリア内の第１の領域は、当該エリア内の第２の領域よりも短いことを特徴とするフォーカス制御装置。
【請求項２】
前記エリア内に前記第２の領域は少なくとも２以上であって、前記第１の領域よりも多いことを特徴とする請求項１に記載のフォーカス制御装置。
【請求項３】
前記エリア内にある複数の領域のうち、最も短い領域が最も多く有ることを特徴とする請求項１または２に記載のフォーカス制御装置。
【請求項４】
前記第１の領域は、前記エリア内において、前記第２の領域よりも外側にあることを特徴とする請求項１乃至３の何れか１項に記載のフォーカス制御装置。
【請求項５】
前記制御手段は、前記撮像画像内において前記エリアを移動可能であることを特徴とする請求項１乃至４の何れか１項に記載のフォーカス制御装置。
【請求項６】
前記制御手段は、前記撮像画像内において前記エリアの大きさを変更することができることを特徴とする請求項１乃至５の何れか１項に記載のフォーカス制御装置。
【請求項７】
前記制御手段、合焦後に、前記エリアを小さくすることを特徴とする請求項６に記載のフォーカス制御装置。
【請求項８】
前記制御手段は、サーチ駆動前に、前記エリアの大きさを切り替えることを特徴とする請求項６に記載のフォーカス制御装置。
【請求項９】
前記制御手段は、サーチ駆動中は、前記複数の大きさのエリアのうち小さいエリアであることを特徴とする請求項６乃至８の何れか１項に記載のフォーカス制御装置。
【請求項１０】
前記エリアの大きさの変更に伴って、前記第１の領域、第２の領域の長さも変わることを特徴とする請求項６乃至９の何れか１項に記載のフォーカス制御装置。
【請求項１１】
前記一のデフォーカス情報を出力する際、近側のフォーカス情報の重み付けを遠側のフォーカス情報の重み付けよりも大きくすることを特徴とする請求項１乃至１０の何れか１項に記載のフォーカス制御装置。
【請求項１２】
前記第１の領域および第２の領域に対応する画像センサーの位置から対の像が出力され、前記フォーカス情報は、当該対の像の位相差に基づくデフォーカス情報であることを特徴とする請求項１乃至１１に記載のフォーカス制御装置。
【請求項１３】
前記長さは、前記位相差を検出する方向であることを特徴とする請求項１２に記載のフォーカス制御装置。
【請求項１４】
前記フォーカス情報は、２像の相関情報であることを特徴とする請求項１２に記載のフォーカス制御装置。
【請求項１５】
複数のマイクロレンズを有する画像センサーを有し、当該マイクロレンズに対応して複数の受光部を有することを特徴とする請求項１乃至１４に記載のフォーカス制御装置。
【請求項１６】
複数のマイクロレンズを有する画像センサーを有し、当該マイクロレンズに対応する受光部の開口位置が異なる画素部を有することを特徴とする請求項１乃至１４に記載のフォーカス制御装置。
【請求項１７】
前記制御手段は、前記第１の領域と前記第２の領域はいずれも撮像画像内の一つのエリア内にあって、前記出力された複数のフォーカス情報の平均値を用いて、当該エリアに対応する一つのデフォーカス情報を取得することを特徴とする請求項１乃至１６の何れか１項に記載のフォーカス制御装置。
【請求項１８】
フォーカス制御装置の制御方法であって、
第１の領域に対応するフォーカス情報を出力する第１のフォーカス情報の出力ステップと、
第２の領域に対応するフォーカス情報を出力する第２のフォーカス情報の出力ステップと、
前記第１の領域と前記第２の領域はいずれも撮像画像内の一つのエリア内にあって、前記出力された複数のフォーカス情報のそれぞれを用いて、当該エリアに対応する一つのデフォーカス情報を取得するとともに、当該取得したデフォーカス情報に基づいてフォーカス制御する制御ステップとを有し、
前記エリア内の第１の領域は、当該エリア内の第２の領域よりも短いことを特徴とするフォーカス制御装置の制御方法。
【発明の詳細な説明】
【技術分野】
【０００１】
本発明は、撮像装置等のフォーカス制御に関するものである。
【背景技術】
【０００２】
撮像装置のフォーカス制御方法として、例えば、位相差検出方式とコントラスト検出方式がある（特許文献１、特許文献２参照）。また、背面モニターなどに撮影画像を表示しながら撮影するＬＶ（ライブビュー）モードも考慮された、撮像面位相差検出方式もある（特許文献３参照）。
【先行技術文献】
【特許文献】
【０００３】
【特許文献１】特開平０９−０５４２４２号公報
【特許文献２】特開２００１−００４９１４号公報
【特許文献３】特開２００１−０８３４０７号公報
【発明の概要】
【発明が解決しようとする課題】
【０００４】
しかしながら、ライブビューモードも意識した撮像面位相差検出方式においても、ライブビューモードや動画撮影に好適なような、従来より安定したフォーカス制御を行う必要があった。特に、高画素化が進む中で、不用意にフォーカス状態が変更すると、観察者にとっては違和感のある動画像になってしまうことがあった。
【課題を解決するための手段】
【０００５】
そこで、上記課題を解決するために本願請求項１に記載の発明は、第１の領域に対応するフォーカス情報（デフォーカス量／相関値）を出力する第１のフォーカス情報出力手段と、第２の領域に対応するフォーカス情報（デフォーカス量／相関値）を出力する第２のフォーカス情報出力手段と、前記第１の領域と前記第２の領域はいずれも撮像画像内の一つのエリア内にあって、前記出力された複数のフォーカス情報のそれぞれを用いて、当該エリアに対応する一つのデフォーカス情報を取得するとともに、当該取得したデフォーカス情報に基づいてフォーカス制御する制御手段とを有し、前記エリア内の第１の領域は、当該エリア内の第２の領域よりも短い。
【発明の効果】
【０００６】
以上説明したように、本願請求項１に記載の発明によれば、従来よりライブビューモードや動画撮影に好適なように安定したフォーカス制御を行うことができるフォーカス制御を提供することができる。
【図面の簡単な説明】
【０００７】
【図１】フォーカス制御装置としての撮像装置およびレンズ装置の構成を示すブロック図である。
【図２】画像センサーの一部領域を示す図である。
【図３】ＡＦ制御処理を示すフローチャートである。
【図４】レンズ駆動処理を示すフローチャートである。
【図５】デフォーカス量を検出する検出エリアの設定処理を示すフローチャートである。
【図６】デフォーカス量を検出する検出エリアの配置例を示す図である。
【図７】デフォーカス量を検出する検出エリアから得られる像信号を示す図である。
【図８】相関量波形、相関変化量波形、およびピントずれ量を示す図である。
【図９】２像一致度を算出する方法を示す図である。
【図１０】位相差ＡＦ処理のフローチャートである。
【図１１】デフォーカス量を算出するフローチャートである。
【図１２】撮像面位相差検出方式における像信号例を示す図である。
【発明を実施するための形態】
【０００８】
以下、本発明の実施の形態について図面を参照しながら説明する。なお、以下に説明する実施の形態は、本発明の実現手段としての一例であり、本発明が適用される装置の構成や各種条件によって適宜修正又は変更されるべきものであり、本発明は以下の実施の形態に限定されるものではない。
【０００９】
＜撮像装置の構成＞
本発明の実施の形態に係るフォーカス制御装置の一例としての撮像装置について説明する。なお、本実施の形態では、レンズ装置を取り付け可能な撮像装置で説明する点、レンズ括り付けのデジタルカメラ等の他の撮像装置であってもよい。
【００１０】
図１は、本実施の形態に係るレンズ装置と撮像装置の主要部の構成を示すブロック図である。
【００１１】
図１に示すように、本実施形態はレンズ装置１０及び撮像装置２０から構成されており、レンズ装置全体の動作を統括制御するレンズ制御部１０６と、撮像装置全体の動作を統括するカメラ制御部２０７が情報を通信している。
【００１２】
まず、レンズ装置１０の構成について説明する。レンズ装置１０は、固定レンズ１０１、絞り１０２、フォーカスレンズ１０３、絞り駆動部１０４、フォーカスレンズ駆動部１０５、レンズ駆動を１０６、レンズ操作部１０７を備えている。撮影光学系は、固定されている第１群レンズ１０１、絞り１０２、フォーカスレンズ１０３を表している。
【００１３】
絞り１０２は、絞り制御部１０４によって駆動され、後述する撮像素子２０１への入射光量を制御する。フォーカスレンズ１０３はフォーカスレンズ駆動部１０５によって駆動され、後述する撮像素子２０１に結像する焦点の調節を行う。絞り駆動部１０４、フォーカスレンズ駆動部１０５はレンズ制御部１０６によって制御され、絞り１０２の開口量や、フォーカスレンズ１０３の位置を決定する。レンズ操作部１０７によってユーザの操作があった場合には、レンズ制御部１０６がユーザ操作に応じた制御を行う。レンズ制御部１０６は、後述するカメラ制御部２０７から受信した制御命令・制御情報に応じて絞り駆動部１０４やフォーカスレンズ駆動部１０５の制御を行い、また、レンズ制御情報をカメラ制御部２０７に送信する。
【００１４】
次に、撮像装置２０の構成について説明する。撮像装置２０はレンズ装置１０の撮影光学系を通過した光束から撮像信号を取得できるようになっている。撮像素子２０１、ＣＤＳ／ＡＧＣ回路２０２、カメラ信号処理部２０３、ＡＦ信号処理部２０４、表示部２０５、記録部２０６、カメラ制御部２０７、カメラ操作部２０８を備えている。撮像素子２０１は画像センサーとしての部材であって、ＣＣＤやＣＭＯＳセンサなどから構成されている。レンズ装置側の撮影光学系を通ってきた光束を撮像素子２０１の受光面上に結像し、フォトダイオードによって入射光量に応じた信号電荷に変換される。各フォトダイオードに蓄積された信号電荷は、カメラ制御部２０７の指令に従ってタイミングジェネレータ２０９から与えられる駆動パルスに基づいて信号電荷に応じた電圧信号として撮像素子２０１から順次読み出される。
【００１５】
撮像素子２０１から読み出された映像信号及びＡＦ用信号は、サンプリングし、ゲイン調整するＣＤＳ／ＡＧＣ回路２０２に入力され、映像信号をカメラ信号処理部２０３に、撮像面位相差ＡＦ用の信号をＡＦ信号処理部２０４にそれぞれ出力する。
【００１６】
カメラ信号処理部２０３は、ＣＤＳ／ＡＧＣ回路２０２から出力された信号に対して各種の画像処理を施して、映像信号を生成する。
【００１７】
ＬＣＤ等により構成される表示装置２０５は、カメラ信号処理部２０３から出力された映像信号を撮像画像として表示する。
【００１８】
記録部２０６は、カメラ信号処理部２０３からの映像信号を磁気テープ、光ディスク、半導体メモリ等の記録媒体に記録する。
【００１９】
ＡＦ信号処理部２０４はＣＤＳ／ＡＧＣ回路２０２から出力されたＡＦ用の２つの像信号を基に、相関演算を行い、デフォーカス量、信頼性情報（二像一致度、二像急峻度、コントラスト情報、飽和情報、キズ情報等）を算出する。算出したデフォーカス量と、信頼性情報をカメラ制御部２０７へ出力する。また、カメラ制御部２０７は、取得したデフォーカス量や信頼性情報を基に、これらを算出する設定の変更をＡＦ信号処理部２０４に通知する。相関演算の詳細については、図７から図９を用いて後述する。
【００２０】
カメラ制御部２０７は、カメラ２０内全体と情報をやり取りして制御を行う。カメラ２０内の処理だけでなく、カメラ操作部２０８からの入力に応じて、電源のＯＮ／ＯＦＦ、設定の変更、記録の開始、ＡＦ制御の開始、記録映像の確認等の、ユーザが操作したさまざまなカメラ機能を実行する。また、先述したようにレンズ装置１０内のレンズ制御部１０６と情報をやり取りし、レンズの制御命令・制御情報を送り、またレンズ内の情報を取得する。
【００２１】
＜画像センサー＞
図２に画像センサーとしての撮像素子２０１の受光面の一部を示す。撮像素子２０１は、撮像面位相差ＡＦを可能にするために、一つのマイクロレンズに対して光電変換手段として受光部であるフォトダイオードを２つ保持している画素部をアレイ状に並べている。これにより、各画素部で、レンズ装置１０の射出瞳を分割した光束を受光することが可能になっている。
【００２２】
図２（Ａ）は、参考として、赤（Ｒ）、青（Ｂ）、緑（Ｇｂ、Ｇｒ）のベイヤー配列例の画像センサー表面の一部の模式図である。図２（Ｂ）は、図２（Ａ）のカラーフィルターの配列に対応させて、一つのマイクロレンズに対して光電変換手段としてのフォトダイオードを２つ保持している画素部例である。
【００２３】
こうした構成を有する画像センサーは、各画素部から位相差ＡＦ用の２つの信号（以下、Ａ像信号、Ｂ像信号ともいう。）を出力できるようになっている。また、２つのフォトダイオードの信号を加算した撮像の記録用の信号（Ａ像信号＋Ｂ像信号）も出力できるようになっている。この加算した信号の場合には、図２（Ａ）で概略説明したベイヤー配列例の画像センサーの出力と同等の信号が出力される。
【００２４】
このような画像センサーとしての撮像素子２０１からの出力信号を使って、後述するＡＦ信号処理部２０４が２つの像信号の相関演算を行い、デフォーカス量や各種信頼性などの情報を算出する。
【００２５】
なお、本実施形態は撮像用の信号及び位相差ＡＦ用の２つの信号の２つの計３つの信号を撮像素子２０１から出力している。この点、このような方法に限定されない。例えば、撮像用の信号と位相差ＡＦ用の像信号の２つの信号のうちの１つの計２つ信号を出力するようにしてもよい。この場合、出力後に位相差ＡＦ用の像信号の２つの信号のうちの他の１つの信号は、撮像素子２０１からの２つの出力信号を利用して算出される。
【００２６】
また、図２では、一つのマイクロレンズに対して光電変換手段としてのフォトダイオードを２つ保持している画素部をアレイ状に並べている例を示した。この点、一つのマイクロレンズに対して光電変換手段としてのフォトダイオードを３つ以上保持している画素部をアレイ状に並べているようにしてもよい。また、マイクロレンズに対して受光部の開口位置が異なる画素部を複数有するようにしてもよい。つまり、結果としてＡ像信号とＢ像信号といった位相差検出可能な位相差ＡＦ用の２つの信号が得られるようになっていれば足りる。
【００２７】
＜ＡＦ制御処理＞
次に、カメラ制御部２０７が実行するＡＦ制御処理について説明する。
【００２８】
図３は、図１におけるカメラ制御部２０７が実行するＡＦ制御処理を示すフローチャートである。本処理は、カメラ制御部２０７内に格納されたコンピュータプログラムに従って実行される。たとえば、１フィールド画像（以下、１フレーム、１画面ともいう）を生成するための撮像素子２０１からの撮像信号の読み出し周期（垂直同期期間ごと）で実行される。この点、垂直同期期間（Ｖレート）内に複数回繰り返すようにしてもよい。
【００２９】
図３において、まず、ＡＦ信号処理部２０４においてＡＦ信号が更新されたかを確認し（Ｓｔｅｐ３０１）、更新されていればＡＦ信号処理部２０４から、その結果を取得する（Ｓｔｅｐ３０２）。
【００３０】
次に、取得結果のピントが合っていない量を示すデフォーカス量が所定の深度内で、かつそのデフォーカス量の信頼度レベルが所定のレベルより高く、信頼できるものであるかどうかを判定する（Ｓｔｅｐ３０３）。デフォーカス量が深度以内かつデフォーカス量の信頼度レベルが所定のレベルより高い場合には、合焦停止フラグをＯＮし（Ｓｔｅｐ３０４）、逆の場合には、合焦停止フラグをＯＦＦする（Ｓｔｅｐ３０５）。この合焦停止フラグがＯＮという状態は、合焦位置にフォーカスが制御され、フォーカスの制御を停止すべき状態にあることを示すフラグである。
【００３１】
ここで、デフォーカス量の信頼度レベルとは、算出されたデフォーカス量の精度が確かであると判断できる場合に信頼度レベルが高いとし、ピント位置が存在するであろう方向を示すデフォーカス方向が確かである場合に「中」と判定する。例えば、デフォーカス量の信頼度レベルが高い場合とは、Ａ像信号、Ｂ像信号のコントラストが高く、Ａ像信号とＢ像信号の形が似ている（二像一致度レベルが高い）状態や、すでに当該主被写体像に合焦している状態にある場合である。この場合にはデフォーカス量を信頼して駆動を行う。
【００３２】
デフォーカス量の信頼度レベルが「中」の場合とは、ＡＦ信号処理部２０４で算出される二像一致度レベルが所定値よりも低いものの、Ａ像信号、Ｂ像信号を相対的にシフトさせて得られる相関に一定の傾向があって、デフォーカス方向は信頼できる状態である。たとえば、主被写体に対して小ボケしている状態に多い判定である。さらに、デフォーカス量、およびデフォーカス方向も信頼できない場合を信頼度レベルが低いと判定する。例えば、Ａ像信号、Ｂ像信号のコントラストが低く、像一致度レベルも低い状態である。これは、被写体に対して大きくボケている状態のときに多く、デフォーカス量の算出が困難な状態である。
【００３３】
デフォーカス量が所定の深度以内かつデフォーカス量の信頼度レベルが高い場合には、フォーカスを制御するためのレンズ駆動を停止し（Ｓｔｅｐ３０７）、Ｓｔｅｐ３０８へ移行する。
一方、合焦停止フラグをＯＦＦしたときは（Ｓｔｅｐ３０５）、後述のレンズ駆動設定を行い（Ｓｔｅｐ３０６）、エリア配置の設定処理（Ｓｔｅｐ３０８）へ移行し、処理を終了する。
【００３４】
＜レンズ駆動処理＞
図４は、図３のＡＦ制御処理（Ｓｔｅｐ３０６）の詳細を示すフロー図である。
【００３５】
まず、カメラ制御部２０７は、Ｓｔｅｐ４０１で、デフォーカス量が得られており、かつ信頼度レベルが高いかどうかを判定する。デフォーカス量が得られて、信頼度レベルが高い場合には（Ｓｔｅｐ４０１でＹＥＳ）、デフォーカス量に基づいて駆動量、および駆動方向を決定する（Ｓｔｅｐ４０２）。
【００３６】
そして、エラーカウント、端カウントをクリアし（Ｓｔｅｐ４０３）、処理を終了する。デフォーカス量が得られなかった、または信頼度レベルが高くない場合には（Ｓｔｅｐ４０１でＮｏ）、エラーカウントが第１のカウントよりも超えているかどうかを判定する（Ｓｔｅｐ４０４）。ここで、第１のカウントは、不図示ではあるが、あらかじめ不揮発性のメモリに記憶しておき決定しておいた値でよい。例えば、後述の第２のカウントの２倍以上の値を設定すればよい。
【００３７】
エラーカウントが第１のカウントよりも小さい場合には（Ｓｔｅｐ４０４でＮｏ）、エラーカウントをカウントアップし（Ｓｔｅｐ４０５）、処理を終了する。エラーカウントが第１のカウントよりも大きい場合には（Ｓｔｅｐ４０４でＹｅｓ）、サーチ駆動フラグがＯＮかどうかを判定する（Ｓｔｅｐ４０６）。
【００３８】
Ｓｔｅｐ４０６でサーチ駆動フラグがＯＦＦの場合には（Ｓｔｅｐ４０６でＮｏ）、まだサーチ動作を開始している状態ではない、若しくは、サーチしている状態ではない。そこで、サーチ駆動フラグをＯＮし（Ｓｔｅｐ４０７）、デフォーカスの信頼度レベルが「中」か否かを判定する（Ｓｔｅｐ４０８）。
【００３９】
信頼度が「中」の場合には、デフォーカス方向を用いて駆動方向を設定し（Ｓｔｅｐ４０９）、所定駆動量を設定する（Ｓｔｅｐ４１１）。このとき、デフォーカス量の絶対値自体に基づいて駆動させずに、得られたデフォーカス方向にフォーカスを所定量駆動させるサーチ駆動を行う。
【００４０】
信頼度が「中」ではない場合（Ｓｔｅｐ４０８でＮｏ）、レンズ端から遠い方向へ駆動方向を設定し（Ｓｔｅｐ４１０）、所定駆動量を設定する（Ｓｔｅｐ４１１）。
【００４１】
Ｓｔｅｐ４１１の所定駆動量は、あらかじめ不揮発性のメモリに決められた値を用いればよい。例えば、焦点深度の数倍の距離を駆動量とする。また、焦点距離に応じて可変にしてもよい。たとえば、焦点距離が長くなる程、大きく駆動量となるようにするといった具合である。なお、このときのサーチ駆動方向は、例えば、現フォーカスの位置に対してレンズ端が遠い方向とする。
【００４２】
サーチ駆動フラグがＯＮの場合には（Ｓｔｅｐ４０６でＹｅｓ）、すでにサーチ駆動を実行している状態である。そのため、前回のフォーカス制御を継続して実行を行う。そして、フォーカス制御の際のレンズ駆動の制限位置であるレンズ端にあるかどうかを判定し（Ｓｔｅｐ４１２）、レンズ端にあたった場合には（Ｓｔｅｐ４１２でＹｅｓ）、端カウントをカウントアップする（Ｓｔｅｐ４１３）。
【００４３】
端カウントが所定値を超える場合には（Ｓｔｅｐ４１４でＹｅｓ）、フォーカスレンズを至近端から無限遠端まで動作しても確かなデフォーカス量を得ることができなかったことを示す。そのため、ピントを合わせることができる被写体がないと判断し、サーチ駆動フラグをＯＦＦし（Ｓｔｅｐ４１５）、レンズ駆動を停止する（Ｓｔｅｐ４１６）。そして、エラーカウントと端カウントをクリアし（Ｓｔｅｐ４１７）、処理を終了する。
【００４４】
端カウントが所定値を超えない場合には（Ｓｔｅｐ４１４でＮｏ）、フォーカス制御に伴うレンズの駆動方向を現在の駆動方向とは反対の駆動方向に設定し（Ｓｔｅｐ４１８）、所定駆動量を設定する（Ｓｔｅｐ４１１）。
【００４５】
＜エリア設定処理＞
図５は、図３のエリア設定処理（Ｓｔｅｐ３０８）の詳細を示すフロー図である。
【００４６】
まず、デフォーカス量が得られており、かつ信頼度レベルが高いかどうかを判定する（Ｓｔｅｐ５０１）。デフォーカス量が得られて、信頼度レベルが高い場合には（Ｓｔｅｐ５０１でＹＥＳ）、現状で設定されている撮像画像内のエリア配置が第１のエリア配置か否かを判定する（Ｓｔｅｐ５０４）。第１のエリア配置であれば（Ｓｔｅｐ５０４でＹｅｓ）、そのまま第１のエリア配置の設定状態を維持する。第１のエリア配置でなければ（Ｓｔｅｐ５０４でＮｏ）、Ｓｔｅｐ５０６で合焦停止フラグがＯＮかどうかを判定し、合焦停止フラグがＯＮの場合には（Ｓｔｅｐ５０６でＹｅｓ）、第１のエリア配置にする（Ｓｔｅｐ５０５）。これにより合焦後に比較的に狭いエリア配置になる。合焦停止フラグがＯＦＦの場合（Ｓｔｅｐ５０６でＮｏ）、移行し、第１のエリア配置よりも広い第２のエリア配置に設定することで設定変更をすることができる（Ｓｔｅｐ５０７）。
【００４７】
ここで、合焦停止フラグＯＮの場合に（Ｓｔｅｐ５０６）、第１のエリア配置に移行するのは、第２のエリア配置と第１のエリア配置とで捕捉する被写体像が異なる可能性があるからである。そのため、第２のエリア配置で、合焦停止フラグがＯＮになって合焦している状態としてフォーカス制御としてのレンズ駆動が停止した場合に、比較的に狭い第１のエリア配置に移行する。これは、動画撮影の場合、主要な被写体は画面の中央にあることが多いことを考慮したものである。そこで、比較的に狭い第１のエリア配置に設定することで、最終的に狙った被写体像が合焦状態となる確率を高めることが可能となる。
【００４８】
なお、比較的に狭い第１のエリア配置にした際に、デフォーカス量が検出できる被写体であるとは限らない。そのために、カメラ制御部２０７は、比較的に狭い第１のエリア配置に戻した場合に、それまでの比較的に広い第２のエリア配置のときのデフォーカス量に関する情報と大きく異なる情報を得た場合には、再度第２のエリア配置に戻すようにしてもよい。
【００４９】
次に、デフォーカス量が得られず、信頼度が高くない場合には（Ｓｔｅｐ５０１でＮｏ）、ＮＧカウントが第２のカウントを超えているか否かを判定する（Ｓｔｅｐ５０２）。ＮＧカウントが第２のカウントを超えていない場合には（Ｓｔｅｐ５０２でＮｏ）、ＮＧカウントをカウントアップする（Ｓｔｅｐ５０３）。そして、カメラ制御部２０７は、第１のエリア配置か否かを判断する（Ｓｔｅｐ５０４）。
【００５０】
一方、ＮＧカウントが第２のカウントを超えている場合には（Ｓｔｅｐ５０２でＹｅｓ）、ＮＧカウントをクリアし（Ｓｔｅｐ５０８）、カメラ制御部２０７は、サーチ駆動中か否かを判定する（Ｓｔｅｐ５０９）。サーチ駆動中であれば（Ｓｔｅｐ５０９でＹｅｓ）、第１のエリア配置に設定する（Ｓｔｅｐ５１２）。サーチ駆動中でなければ（Ｓｔｅｐ５０９でＮｏ）、現在第１のエリア配置かどうか判定する（Ｓｔｅｐ５１０）。現在第１のエリア配置である場合には（Ｓｔｅｐ５１０でＹｅｓ）、比較的に広い第２のエリア配置に設定し（Ｓｔｅｐ５１１）、現在第２のエリア配置でない場合には（Ｓｔｅｐ５１０でＮｏ）、比較的に狭い第１のエリア配置に設定する（Ｓｔｅｐ５１２）。
【００５１】
このように、サーチ駆動中かどうかを判断するのは（Ｓｔｅｐ５０９）、サーチ駆動を実行する前に、第１のエリアと第２のエリアをまず切り替える動作を行うことで、サーチ駆動前に両方のエリア配置でＮＧの場合において、サーチ駆動を実行するためである。
【００５２】
また、サーチ駆動中、信頼度レベルが高いデフォーカス量が取得できた場合、サーチ駆動をやめて、その取得結果に応じたフォーカス制御を行う。したがって、サーチ駆動中に、比較的に大きい第２のエリアだと、適当な被写体像でない被写体像を捕捉してしまう可能性があるため、第１のエリアに設定する。
【００５３】
＜エリア配置（１）＞
図６を用いて、エリア配置について、更に具体的に説明する。図６（Ａ）は第１のエリア配置を示した図である。領域６０１〜６０７までの７つの領域がエリア内に存在する。画面に対する水平方向の比率がβ％である第２の長さの領域が２領域６０１、６０７配置されている。さらに、α％で第２の長さより短い第１の長さの領域が５領域６０２〜６０６、撮影画面の中央に配置されている。このように、長さの異なる複数の領域をエリア内に配置し、短い領域の数の方が長い領域の数よりも多い。
【００５４】
そして、７つの領域から得られるデフォーカス量を組み合わせて用いて、１つの後述する有効デフォーカス量、および有効デフォーカス方向を取得する。この有効デフォーカス量、および有効デフォーカス方向を用いて、フォーカス制御としてレンズを駆動させてピント合わせを行う。なお、以下、エリア配置に対応する１のデフォーカス量を意味する概念として有効デフォーカス量とも記載する。また、エリア配置に対応する１のデフォーカス方向を意味する概念として有効デフォーカス方向とも記載する。
【００５５】
比較的に短い第１の長さの領域だけでなく、比較的に長い第２の長さの領域を配置しておくことで、動画撮影やライブビューの画像の品位を確保している。すなわち、比較的に短い第１の長さの領域の集合体だけでは、主被写体像を捕捉しきれなかったり、エリアから主被写体像が移動して抜けてしまう可能性が高くなる。そうすると、比較的に短い第１の長さの領域に対応する画像センサーからの出力によって、却ってピントがふらついてしまうことになりかねない。そこで、比較的に長い第２の長さの領域をエリア内に配置し、主被写体像を捕捉したまま維持することが可能ならしめるものである。また、上述の図６（Ａ）の例では、短い領域の数の方が長い領域の数よりも多い。この点、逆にしても、異なる長さの領域をエリア内に設けることで一定の効果は得られる。しかしながら、例示したように、撮影画面に対する比率が小さく比較的に短い領域の数を長い領域の数よりも多く配置することで、より遠近競合を排して、ユーザーが意図しているであろう被写体像にピントを合わせることが可能となる。さらに、上述の図６（Ａ）の例では、図６（Ａ）にしめしように、比較的に長い第２の長さの領域を比較的に短い第１の領域よりも外側に配置している。この点、比較的に長い第２の長さの領域を比較的に短い第１の領域よりも内側に配置しても一定の効果は得られる。ただし、図６（Ａ）にしめしように、比較的に長い第２の長さの領域を比較的に短い第１の領域よりも外側に配置することで次の効果が得られる。すなわち、動画撮影の場合には、ユーザーが意図する主被写体像が比較的に中央にあることを考慮した効果である。エリアの中央を短い領域が占めることで、エリア配置が捕捉している被写体像の中央部分にピントを合わせるよう考慮したものである。これは、動画撮影やライブビューの画像では、動いている被写体像を撮影するシーンが多いことを考慮したものである。そこで、ピント合わせを意図する被写体像が撮影画面から外れないように、ユーザーは、撮影画面の中央に主被写体像が位置するように撮影する場合が多いことを考慮したものである。また、図６（Ａ）の第１のエリア配置は、エリアが画面の中央にあるときに、その画面中央に位置する領域と同じ長さの領域の数を、そうでない領域の数よりも多く配置している。この点、エリアが画面の中央にあるときに、その画面中央に位置する領域と同じ長さの領域の数を、そうでない領域の数よりも少なく配置しても一定の効果は得られる。ただし、動画撮影は、先にも述べたように、主被写体像は画面の中央に位置させることが多いことを考慮して、エリアが画面の中央にあるときに、その画面中央に位置する領域と同じ長さの領域の数を、そうでない領域の数よりも多く配置している。ユーザーが狙った被写体像に適切にピントを合わせることが可能になるように撮影画面の中央の領域の大きさを設定し、さらに、その領域の大きさの数が最も多くなるように設定している。また、一時的に狙った被写体が比較的に短い第１の長さの領域から抜けてしまっても、被写体像を比較的に長い第２の長さの領域で捕捉するために、安定したフォーカス制御を行うことができる。
【００５６】
これらの総合作用として、フォーカス制御の安定性を飛躍的に向上させることができる。
【００５７】
また、図６（Ｂ）は、第２のエリア配置を示した図であるが、図６（Ａ）の第１のエリア配置よりも、広いエリア配置になっている。撮影画面に対して水平方向の比率がβ’％で、比較的に長い第４の長さの領域が２エリア（６１１、６１７）、α’％で比較的に短い第３の長さの領域が５エリア（６１２〜６１６）配置している。なお、図６では、第１の長さは、第２の長さの２倍で第３の長さと同じ、また、第４の長さは第３の長さの２倍を例示している。この点、倍率は、これらに限らない。ただし、このような例示の倍率関係の場合、回路設計やプログラムの構成がより簡単になる場合がある。
【００５８】
このように、比較的に狭い第１のエリア配置の他に比較的に広い第２のエリア配置を設けている理由を図１２を用いて説明する。
【００５９】
例えば、図１２（Ａ）のような被写体像を撮影した場合、合焦近傍の場合は、エリアに２つの山の形状を有する像が表れる（図１２（Ｂ））。ここで、例えば１５０１をＡ像、１５０２をＢ像とし、位相差検出方式を適用し、この２像のずれ量を算出してデフォーカス量を算出するとする。しかしながら、大ボケ（大きくボケている状態）の場合は、２つの山の像の形状自体が崩れてしまい、１つの山の形状となってしまう。さらに、当該山の形状において、山の裾野が広がりを見せる山の形状となっている。すなわち、捕捉したい被写体像の形状がピントの状態（大ボケ状態か合焦に近い状態か）によって、大きく異なってしまう（図１２（Ｃ））。
【００６０】
この点、大きくボケている状態でデフォーカス量が得られなくなる可能性が高い場合でも、比較的に大きい第２のエリア配置にすることで、ピント合わせの安定性を向上させることができる。すなわち、比較的に広い第２のエリアを持ち合わせることで、デフォーカス量やデフォーカス方向を得られる頻度を向上させることができる。
【００６１】
＜エリア配置（２）＞
なお、図６（Ａ）（Ｂ）では、水平方向への長さについて述べた。この点、垂直方向に領域（所謂、縦目）を配置する場合でも適用できる技術思想である。
【００６２】
さらに、図６（Ａ）（Ｂ）に示した第１のエリア配置と第２のエリア配置を切り替えるフローで図５のエリア設定処理を例示した。この点、演算回路規模やプログラム規模が許せば、たとえば、図６（Ｃ）のようにあらかじめ、第１のエリアと第２のエリアの両方を含むように、撮影画面に対する比率のエリア数分配置しておき、選択して用いてもよい。つまり、図６（Ｃ）のように、エリア内に領域６２１〜６３４を配置しておき、図６（Ａ）の領域６０１〜６０７を図６（Ｃ）の領域６２１〜６２７とし、図６（Ｂ）の領域６１１〜６１７を図６（Ｃ）の領域エリア６２８〜６３４とするものである。これによれば、図５で説明した第１のエリア配置の場合は、領域６２１〜６２７を用い、第２のエリア配置の場合は、エリア６２８〜６３４を選択して用いる方法である。
【００６３】
また、前述までは、撮影画面の中央に第１のエリア、第２のエリアを配置した。この点、撮影の構図を考慮し、ユーザーである撮影者が撮影したい被写体像が撮影画面の中央に位置しないシーンも存在することを考慮して第４のエリア配置を設置しても良い（図６（Ｄ））。これは、不図示ではあるが、顔検出機能など、所定の被写体像を特定する機能を用いて、検出された像にピント合わせを行いたい場合や、タッチ操作等によるユーザーの指示により撮影画面上の所望の被写体にピント合わせを行いたい場合にも適用できる。図６（Ｄ）の領域６４１〜６４７のように、画面中央ではなく、またはカメラ制御部２０７は、エリア配置を移動可能であって、顔が検出された位置、もしくはユーザが指示した位置に、前述のエリア配置の設定を行う。
【００６４】
このように、さまざまなエリア配置の自由度を向上させることは、撮像面位相差ＡＦ方式と相性がよい。
【００６５】
＜相関演算について＞
次に、上述した有効デフォーカス量の算出について例示するが、相関情報としての相関演算、相関量波形等を説明してから、有効デフォーカス量の算出を例示する。
【００６６】
図７（Ｄ）は、像信号を取得する領域を例示するもので、画像センサーとしての撮像素子２０１の画素アレイ上の概念図である。不図示の画素部がアレイ状に配置された画素アレイ７０１に対して、以下に説明する演算対象の領域が領域７０２である。この領域７０２のデフォーカス量を算出する際の相関演算に必要なシフト領域７０３と領域７０２とを合わせたものが、相関演算を行う為に必要なシフト領域７０４である。
【００６７】
図７、８、および９中のｐ、ｑ、ｓ、ｔはそれぞれｘ軸方向の座標を表し、ｐからｑはシフト領域７０４を表し、ｓからｔは領域７０２を表す。
【００６８】
図７（Ａ）（Ｂ）（Ｃ）は、図７（Ｄ）で設定したシフト領域７０４から取得した像信号である。ｓからｔが領域７０２に対応し、ｐからｑがシフト量を踏まえたデフォーカス量を算出する演算に必要な範囲のシフト領域７０４に対応する像信号である。図７（Ａ）は相関演算のためのシフト前のＡ像信号とＢ像信号とを概念的に波形で表した図である。実線８０１がＡ像信号Ａ、破線８０２がＢ像信号である。図７（Ｂ）は（Ａ）のシフト前の像波形に対しプラス方向に互いにシフトさせた場合の概念図であり、同（Ｃ）は（Ａ）のシフト前の像波形に対しマイナス方向に互いにシフトさせた場合の概念図である。２つの像の相関の具合である相関量を算出する際には、たとえば、それぞれ矢印の方向にＡ像信号８０１、Ｂ像信号８０２を１ビットずつシフトさせるといった具合である。
【００６９】
続いて相関量ＣＯＲの算出法について説明する。まず、図７（Ｂ）（Ｃ）の通りに、たとえば、像信号Ａと像信号Ｂを１ビットずつシフトしていき、その各状態でのＡ像信号とＢ像信号の差の絶対値の和を算出する。このとき、シフト量をｉで表し、最小シフト数は図８中のｐ−ｓ、最大シフト数は図８中のｑ−ｔである。またｘは測距領域の開始座標、ｙは測距領域の終了座標である。これら用い、以下の式（１）によって算出する事ができる。
【００７０】
【数１】
2015087705.tif 000003
【００７１】
図８（Ａ）は相関量を波形のグラフで示した概念図である。グラフの横軸はシフト量を示し、縦軸は相関量を示す。相関量波形９０１には、極値付近９０２、９０３を有している例図である。この中でも相関量が小さい方ほど、Ａ像とＢ像の一致度が高いことを示す。
【００７２】
続いて相関変化量ΔＣＯＲの算出法について説明する。まず、図８（Ａ）の相関量波形の概念図から、たとえば、１シフト飛ばしの相関量の差から相関変化量を算出する。このとき、シフト量をｉで表し、最小シフト数は図８（Ｄ）中のｐ−ｓ、最大シフト数は図８（Ｄ）中のｑ−ｔである。これらを用い、以下の式（２）によって算出する事ができる。
【００７３】
【数２】
2015087705.tif 000004
【００７４】
図８（Ｂ）は相関変化量ΔＣＯＲを波形のグラフで例示した概念図である。グラフの横軸はシフト量を示し、縦軸は相関変化量を示す。相関変化量波形１００１は、相関変化量がプラスからマイナスになるポイント１００２、１００３を有する。このポイント１００２より相関変化量が０となる状態を相対的にＡ像とＢ像の一致度が高いＡ像信号とＢ像信号とのシフト量である。そのときのシフト量がデフォーカス量に対応することになる。
【００７５】
図９（Ａ）は図８（Ｂ）のポイント１００２を拡大したもので、相関変化量の波形１００１の一部分の波形を波形１１０１としている。図９（Ａ）を用いて、デフォーカス量に対応するピントずれ量ＰＲＤの算出法について例示する。ピントずれ量を整数部分βと小数部分αに分けて概念する。小数部分αは、図中の三角形ＡＢＣと三角形ＡＤＥの相似の関係から、以下の式（３）によって算出する事ができる。
【００７６】
【数３】
2015087705.tif 000005
【００７７】
続いて小数部分βは、図９（Ａ）中より以下の式（４）によって算出することができる。
β＝ｋ−１          （４）
【００７８】
以上、αとβの和からピントずれ量ＰＲＤを算出する事ができる。
【００７９】
また、図８（Ｂ）のように複数のゼロクロスが存在する場合は、ゼロクロスでの相関量変化の急峻性ｍａｘｄｅｒ（以下、急峻性と呼ぶ）が大きいところを第１のゼロクロスとする。この急峻性はＡＦのし易さを示す指標で、値が大きいほどＡＦし易い点であることを示す。急峻性は以下の式（５）によって算出する事ができる。
【００８０】
【数４】
2015087705.tif 000006
【００８１】
以上のように、ゼロクロスが複数存在する場合は、急峻性によって第１のゼロクロスを決定する。
【００８２】
続いてピントずれ量の信頼性レベルの算出法について例示する。これは、デフォーカス量の信頼性に対応するものであるが、以下に示す説明は例示で他の周知の方法で信頼性レベルを算出しても構わない。信頼性は、前述した急峻性や、Ａ像信号、Ｂ像信号の２像の一致度ｆｎｃｌｖｌ（以下、２像一致度と呼ぶ）によって定義する事ができる。２像一致度はピントずれ量の精度を表す指標で、値が小さいほど精度が良い。図９（Ｂ）は図８（Ａ）の極値付近９０２の部分を拡大したもので、相関量波形９０１の一部分の波形である波形１２０１である。これより、急峻性と２像一致度を算出法について例示する。２像一致度は以下の式（６）によって算出できる。
【００８３】
【数５】
2015087705.tif 000007
【００８４】
以上のように、２像一致度を算出する。
【００８５】
＜デフォーカス量算出＞
図１０は、デフォーカス量算出までをフロー図に示したものである。なお、下記の例示の説明では、ピントずれ量とデフォーカス量とを区別して例示する。この点、本願技術思想におけるデフォーカス量は、合焦位置からの絶対的な距離やパルス数で概念してもよいし、そういった概念と次元、単位の異なる概念や相対的な概念でもよい。どれだけ合焦状態から離れていると判断できるか、どれだけフォーカス制御すれば合焦状態に移行できると判断できるかを示す概念である。このような概念としてデフォーカス情報を取得することをフォーカス情報を取得すると説明する。
【００８６】
Ｓｔｅｐ１３０１で、先に例示したように設定したそれぞれの領域に対応する画像センサー２０１の位置の画素から像信号Ａ、Ｂを取得する。次に、取得した像信号から相関量を算出する（Ｓｔｅｐ１３０２）。続いて、算出した相関量から相関変化量を算出する（Ｓｔｅｐ１３０３）。そして、算出した相関変化量からピントずれ量を算出する（Ｓｔｅｐ１３０４）。また、算出したピントずれ量がどれだけ信頼できるのかを表す信頼性レベルを算出する（Ｓｔｅｐ１３０５）。これらの処理を、エリア内の領域の数に応じた数行う。
【００８７】
そして、エリア内の領域ごとにピントずれ量をデフォーカス量に変換する（Ｓｔｅｐ１３０６）。さらに、有効デフォーカス量と有効デフォーカス方向を算出する（Ｓｔｅｐ１３０７、Ｓｔｅｐ１３０８）。
【００８８】
＜有効デフォーカス量の算出＞
図１１は、前述のＳｔｅｐ１３０７で示した有効デフォーカス量としてエリア配置に対応する１のデフォーカス量の算出の処理のフロー図である。図７から図１０を用いてＡＦ信号処理部２０４で行われる相関演算について説明する。
【００８９】
有効デフォーカス量は、まず、エリア配置内の複数の領域のうち、デフォーカス量が得られていて、信頼度レベルが高い領域を探索する。探索して条件を満たす領域のデフォーカス量の平均値を算出する（Ｓｔｅｐ１４０１）。
【００９０】
次に、各領域のデフォーカス量とＳｔｅｐ１４０１で算出した平均値の差を算出する（Ｓｔｅｐ１４０２）。そして、算出した各領域の差のうちの最大の値が所定差以上であるかを判定する。すなわち、エリア配置内の複数の領域のそれぞれのデフォーカス量のうち、偏差が大きいデフォーカス量かどうかを判定する。算出した各領域の差のうちの最大値が所定差未満の場合は（Ｓｔｅｐ１４０３でＮｏ）、Ｓｔｅｐ１４０１で算出された平均値を有効デフォーカス量に設定する（Ｓｔｅｐ１４０４）。逆に、算出した各領域の差のうち最大値が所定差以上の場合は（Ｓｔｅｐ１４０３でＹｅｓ）、最大差となった領域のデフォーカス量を平均値算出の際の演算対象から外す（Ｓｔｅｐ１４０５）。エリア配置内の複数の領域のそれぞれのデフォーカス量のうち、偏差が大きいデフォーカス量か演算対象から外す。
【００９１】
残っている領域のデフォーカス量があるかどうかを判定し（Ｓｔｅｐ１４０６で、）、残っている領域のデフォーカス量がある場合は（Ｓｔｅｐ１４０６でＮｏ）、再度Ｓｔｅｐ１４０１へ移行し、処理を繰り返す。残っている領域のデフォーカス量が１つとなった場合は（Ｓｔｅｐ１４０６でＹｅｓ）、有効デフォーカス量は得られなかったとし、無しに設定する（Ｓｔｅｐ１４０７）。
【００９２】
有効デフォーカス方向も有効デフォーカス量と同様である。さらに、たとえば、有効デフォーカス方向は、複数の領域のうち、デフォーカス量が得られていて、信頼度レベルが高い領域、または、デフォーカス量の信頼度レベルが「中」である領域を探索し、その中で最も多い方向を有効デフォーカス方向とする。
【００９３】
なお、上記の例示では、最大差となった領域のデフォーカス量を、偏差の大きいデフォーカス量として、平均値算出の際の演算対象から外すことを例示した（Ｓｔｅｐ１４０５）。この点、偏差の大きいデフォーカス量を演算から外さなくても、その重み付けを小さくすることでも一定の効果を有する。ただし、その場合には、その重み付け分だけ、主被写体像からデフォーカスしてしまう可能性もある。
【００９４】
このようにエリア配置内の複数の領域のそれぞれのデフォーカス量のうち、偏差の大きいデフォーカス量を使わないのは、次の理由からである。すなわち、エリア配置に対して１つのデフォーカス量を複数の領域のデフォーカス量から算出する都合上、そのエリア配置の大きさが故に、いわゆる遠近競合が生じる可能性が相対的に高いからである。
【００９５】
＜至近側優先＞
ここで、図１１では、有効デフォーカス量を算出する際に、至近側の方向を遠側の方向よりも優先する処理を例示する。これは、ユーザーとしての撮影者が合焦を意図する被写体像は、その背景と比べると至近側に想定されるからである。すなわち、撮影者は、至近側の被写体像にピント合わせを行うことが多く、至近側の被写体像の方が撮影者の意図する被写体像である可能性が高いからである。そのため、たとえば、エリア配置内のある領域のデフォーカス量とそのエリア配置の平均値との差を算出する際に（Ｓｔｅｐ１４０２）、当該デフォーカス量が至近側のデフォーカス方向を伴うとき、このデフォーカス量と平均値との差を１より小さい値を掛ける。また、別の例をいえば、Ｓｔｅｐ１４０３の所定差の値を大きくするといった具合である。これらにより、至近側のデフォーカス方向を伴う当該デフォーカス量は、算出した各領域の差のうちの最大の値をもつデフォーカス量に相対的になりにくくなる。それによって、エリア配置内の複数の領域のうち、至近側へ被写体像があると出力している領域のデフォーカス量を用いる確率を高めることが可能となり、所謂至近側優先のフォーカス制御を達成することができるものである。ただし、至近側を優先させる方法としてはこれに限らず、平均値のデフォーカス量よりも至近側のデフォーカス方向を伴うデフォーカス量を当該平均のデフォーカス量と差をとる対象から外すようにしてもよい。
【００９６】
なお、上記では、エリア配置において出力された複数のフォーカス情報のそれぞれを用いて、当該エリアに対応する一つのデフォーカス情報を取得する方法として平均処理を例示した。この点、平均ではなく例えば、ある重み付けをしてデフォーカス量を算出してもよい。このように、出力された複数のフォーカス情報のそれぞれを用いて、当該エリアに対応する一つのデフォーカス情報を取得する意義は、次の理由である。すなわち、エリア配置内の各領域のデフォーカス量の中から１つのデフォーカス量を選択すると、被写体像を「線」もしくは「点」で捕捉してしまい、被写体像に対する「線」もしくは「点」で捕捉する領域ごとのデフォーカス量の差に対しても、フォーカス制御をしてしまい、ライブビュー画像や動画としての適切でない可能性が高くなる。この点、各領域のデフォーカス量を平均するという技術思想によれば、被写体像をいわば「面」で捕捉することになるので、「線」もしくは「点」で捕捉する領域ごとのデフォーカス量の差によるフォーカス制御による弊害を軽減する一方で、上記で例示したようにユーザーが意図する被写体像への合焦精度も担保される。また、平均処理でなく、重み付けを以って出力された複数のフォーカス情報のそれぞれを用いて、当該エリアに対応する一つのデフォーカス情報を取得するようにすれば同様である。
【００９７】
このように、一体で捕捉すべき被写体像に対して、エリア配置内の複数のデフォーカス量を平均することにより、エリア配置内の領域ごとのデフォーカス量のばらつきを抑制し、安定したフォーカス制御を達成できる。
【００９８】
＜その他＞
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００９９】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【０１００】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【０１０１】
その場合、プログラムの機能を有していれば、オブジェクトコード、インタプリタにより実行されるプログラム、ＯＳに供給するスクリプトデータ等、プログラムの形態を問わない。
【０１０２】
プログラムを供給するための記録媒体としては、例えば、ハードディスク、磁気テープ等の磁気記録媒体、光／光磁気記憶媒体、不揮発性の半導体メモリでもよい。
【０１０３】
また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【符号の説明】
【０１０４】
１０  レンズ
２０  カメラ
１０１  固定レンズ
１０２  絞り
１０３  フォーカスレンズ
１０４  絞り駆動部
１０５  フォーカスレンズ駆動部
１０６  レンズ制御部
１０７  レンズ操作部
２０１  撮像素子
２０２  ＣＤＳ／ＡＧＣ回路
２０３  カメラ信号処理部
２０４  ＡＦ信号処理部
２０５  表示部
２０６  記録部
２０７  カメラ制御部
２０８  カメラ操作部
２０９  タイミングジェネレータ
【図１】
2015087705.tif 000008
【図２】
2015087705.tif 000009
【図３】
2015087705.tif 000010
【図４】
2015087705.tif 000011
【図５】
2015087705.tif 000012
【図６】
2015087705.tif 000013
【図７】
2015087705.tif 000014
【図８】
2015087705.tif 000015
【図９】
2015087705.tif 000016
【図１０】
2015087705.tif 000017
【図１１】
2015087705.tif 000018
【図１２】
2015087705.tif 000019